(57)【要約】【課題】  一つの作業で使用状態にセッティングできるようにする。【解決手段】  支柱１と、この支柱１に対して回動自在に設けた回動部材３と、同じく支柱１に回動自在に取り付けるとともに回動半径を可変にしたガイド部材５，６と、上記回動部材３とガイド部材５，６とを回動自在に取り付けるブラケット４と、このブラケット４に一端を固定した支持アーム９と、この支持アーム９の先端に設けた緩降機つり下げ部材１０とを備え、上記回動部材３およびガイド部材５，６を支柱１に対して折り畳んだ状態において、回動部材３および支持アーム９が支柱１に対してほぼ平行になり、かつ、回動部材３を支柱１の延長上に保ったとき、支持アーム９がほぼ水平になる構成にした。【選択図】  図４
2006000168.tif 000002
【特許請求の範囲】
【請求項１】
支柱と、この支柱に対して回動自在に設けた回動部材と、同じく支柱に回動自在に取り付けるとともに回動半径を可変にしたガイド部材と、上記回動部材とガイド部材とを回動自在に取り付けるブラケットと、このブラケットに一端を固定した支持アームと、この支持アームの先端に設けた緩降機つり下げ部材とを備え、上記回動部材およびガイド部材を支柱に対して折り畳んだ状態において、回動部材および支持アームが支柱に対してほぼ平行になり、かつ、回動部材を支柱の延長上に保ったとき、支持アームがほぼ水平になる構成にした緩降機取付金具。
【請求項２】
ガイド部材を、第１ガイドリンクと第２ガイドリンクとから構成し、第１ガイドリンクの基端を支柱に回動自在に取り付け、この第１ガイドリンクの先端に第２ガイドリンクの基端を取り付け、さらに、この第２ガイドリンクの先端をブラケットに回動自在に取り付け、しかも、上記第１ガイドリンクが支柱に対して所定の回動位置に達したとき、第１ガイドリンクの回動を止めるストッパーを設け、第１ガイドリンクがこのストッパーに当たってからは、第２ガイドリンクが第１ガイドリンクとの連結点を支点にして回動する構成にした請求項１記載の緩降機取付金具。
【発明の詳細な説明】
【技術分野】
【０００１】
この発明は、緩降機を保持するとともに、使用時の緩降機を支持する緩降機取付金具に関する。
【背景技術】
【０００２】
従来から知られているこの種の緩降機取付金具は、筒状の支柱に伸縮部材を挿入するとともに、この伸縮部材の先端に緩降機を支持する支持アームを取り付けている。このようにした緩降機取付金具を収納状態に保つためには、先ず、支持アームを伸縮部材に沿わせるようにして折曲げるとともに、それら伸縮部材を筒状の支柱内に挿入しておく。
【０００３】
そして、緊急時に緩降機を使用するときには、先ず、人が、伸縮部材を支柱から引き出すとともに、その伸縮部材に設けた支持アームをほぼ水平に固定する。このように支持アームを固定したら、その支持アームに設けた緩降機の一方のベルトを地上に降ろし、他方のベルトを階上に残すようにする。そして、人は階上に残ったベルトを身に巻き付けて地上に降りるが、このときには、地上に降ろしたベルトが階上まであがってくる。つまり、井戸のつるべのように、一方のベルトが降りているときには、他方のベルトが上昇するといった動作を繰り返すことになる。
なお、本件に関しては、特許調査はしていない。
【発明の開示】
【発明が解決しようとする課題】
【０００４】
上記のようにした従来の緩降機取付金具では、緊急時に緩降機を使用するときに、上記伸縮部材を支柱から引き出すなど、人に何段階もの作業を強いることになる。しかし、緊急時には、その何段階もの作業をすることが、わずらわしいという問題があった。
この発明の目的は、１つの作業で使用状態にセッティングできる緩降機取付金具を提供することである。
【課題を解決するための手段】
【０００５】
第１の発明は、支柱と、この支柱に対して回動自在に設けた回動部材と、同じく支柱に回動自在に取り付けるとともに長さを可変にしたガイド部材と、上記回動部材とガイド部材とを回動自在に取り付けるブラケットと、このブラケットに一端を固定した支持アームと、この支持アームの先端に設けた緩降機とを備えている。そして、上記回動部材およびガイド部材を支柱に対して折り畳んだ状態において、回動部材および支持アームが支柱に対してほぼ平行になり、かつ、回動部材を支柱の延長上に保ったとき、支持アームがほぼ水平になる構成にしたものである。
【０００６】
第２の発明は、ガイド部材を、第１ガイドリンクと第２ガイドリンクとから構成し、第１ガイドリンクの基端を支柱に回動自在に取り付け、この第１ガイドリンクの先端に第２ガイドリンクの基端を取り付け、さらに、この第２ガイドリンクの先端をブラケットに回動自在に取り付け、しかも、上記第１ガイドリンクが支柱に対して所定の回動位置に達したとき、第１ガイドリンクの回動を止めるストッパーを設け、第１ガイドリンクがこのストッパーに当たってからは、第２ガイドリンクが第１ガイドリンクとの連結点を支点にして回動する構成にしたものである。
【発明の効果】
【０００７】
第１、第２の発明によれば、ブラケットとともに回動部材を回動するというひとつの動作だけで、当該緩降機取付金具を使用状態にセッティングできる。したがって、心理的に動転している緊急時においても、緩降機取付金具を迅速かつ正確にセッティングできる。
第２の発明によれば、緩降機を設けた支持アームの先端の回動軌跡を小さくできる。したがって、狭いところでもこの緩降機取付金具を使うことができる。
【発明を実施するための最良の形態】
【０００８】
図示の実施形態は、建物の床などに固定した支柱１の先端に、取付金具２を固定するとともに、この取付金具２に回動部材３の基端を回動自在に取り付けている。そして、この回動部材３の先端にはブラケット４を回動自在に取り付けている。さらに、上記取付金具２の下方における支柱１には第１ガイドリンク５の基端を回動自在に取り付けているが、この第１ガイドリンク５の先端には第２ガイドリンク６を回動自在に取り付けている。そして、この第２ガイドリンク６の先端に上記したブラケット４を回動自在に取り付けている。さらに、上記ブラケット４には、回動部材３および第１，２ガイドリンク５，６を強制的に回動するための取っ手７を設けている。
なお、上記第１，２ガイドリンク５，６でこの発明のガイド部材を構成する。
【０００９】
また、上記回動部材４と支柱１の下端側との間には、ダンパー８を設けている。このダンパー８は、図１に示した収納状態で、回動部材３が不用意に回動するのを阻止するストッパーとして機能し、図２に示すように回動部材３が強制的に回動させられているときには、それが伸張してダンパー効果を発揮するようにしている。
【００１０】
上記のようにしたブラケット４には、支持アーム９を固定しているが、この支持アーム９の先端に設けた緩降機つり下げ部材であるリング１０には緩降機１１を釣り下げている。そして、上記緩降機１１は、その中に組み込んだ滑車にロープ１２を巻き回して、そのロープの両端を緩降機１１から導き出すとともに、ロープ１２の両端には、緩降時に人が装着するループなどからなる装着具を設けている。なお、上記ロープ１２の一方に設けている装着具１３は図示しているが、他方に設けている装着具は図示していない。
また、上記ロープ１２は、ビルの窓から地上に降りるために必要な長さを有しているが、両装着具のうち、図示していない装着具は、通常はリール１４に巻いておくものである。
【００１１】
今、図１の折り畳み状態から、取っ手７を握ってそれを矢印１５方向に持ち上げると、回動部材３とともに、第１，２ガイドリンク５，６が一体的に回動する。しかし、第１，２ガイドリンク５，６が図２に示す位置、すなわち第１ガイドリンク５が水平になる位置まで回動すると、第１ガイドリンク５はその位置で取付金具２に当たり、それ以上の回動を阻止される。なお、第１ガイドリンク５が当たる取付金具２がこの発明のストッパーを構成するものである。
【００１２】
上記図２の状態から取っ手７をさらに回動すると、回動部材３もさらに回動するが、第１ガイドリンク５は上記のようにその回動を阻止されているので、第２ガイドリンク６だけが回動することになる。すなわち、第２ガイドリンク６は、図３に示すように、第１ガイドリンク５との滑接点を中心に回動する。したがって、第１，２ガイドリンク５，６をひとつのガイド部材としてみれば、図２の状態からさらに回動したときには、その回動半径を小さくしたことになる。このようにガイド部材の回動半径を小さくした状態で、取っ手７を握ってさらに回動して、図４に示すトップの状態に達すると、それにともなってブラケット４は、支持アーム９をほぼ水平となる位置にセッティングする。
【００１３】
なお、上記のように第１，２ガイドリンク５，６からなるガイド部材を、その回動過程で回動半径が小さくなるようにしたのは、図４に示すトップの位置において、支持アーム９がほぼ水平になるように、ブラケット４の回動角度を制御するためである。したがって、ガイド部材は、例えばシリンダのように伸縮できるものでもよい。ただし、この実施形態のように、第１，２ガイドリンク５，６を用いて、所定の回動位置からそれらの回動支点を異なるようにした場合には、１本のリンクを用いてガイド部材を構成した場合よりも、ブラケット４をトップの位置まで持っていくまでの回動半径を小さくすることができる。そして、ガイド部材として、シリンダ等の伸縮機構を用いるよりも、リンク機構を用いた方が安くできるので、この実施形態によれば、安いリンク機構でしかもその回動半径を小さくできるという利点がある。
【００１４】
また、上記支持アーム９の先端には、取付片１６を固定するとともに、この取付片１６にリール保持機構１７を設けている。このリール保持機構１７は、図２，３に示すように、側面Ｘ字状をした一対の保持片１８，１９からなり、これら保持片１８，１９のクロス部を取付片１６に取り付けている。ただし、一方の保持片１８は、取付片１６に固定し、他方の保持片１９は、上記クロス部を回動支点２０として回動自在にしている。このようにした保持片１８，１９は、図面の下方に向かって図示していない押さえ部を設けている。この押さえ部は、上記保持片１８，１９に対してほぼ直角にしてなり、リール１４の側面の板を保持するようにしている。
【００１５】
上記のようにしたリール保持機構１７は、その一方の保持片１９を、第１リール落下リンク２１の先端に回動自在に連結している。また、この第１リール落下リンク２１は、第２リール落下リンク２２に回動自在に連結するとともに、この第２リール落下リンク２２の基端を前記取付金具２に回動自在に取り付けている。そして、これら第１，２リール落下リンク２１，２２は、図２に示す折り畳み状態にあるとき、両リンク２１，２２の回動支点２３が支持アーム９の先端に近いところに位置するようにしている。したがって、リール保持機構１７の保持片１９が、一方の保持片１８に対して最大の角度を保つことになる。このように両保持片１８，１９が最大の角度を保っていれば、リール１４が安定的に保持されることになる。
【００１６】
今、上記したように取っ手７を握って、回動部材３を矢印１５方向に回動すれば、それにともなって第１，２リール落下リンク２１，２２が、図２に示す状態から図３に示す状態まで回動すると、上記回動支点２３が支持アーム９の先端から遠のく方向に徐々に移動する。このように回動支点２０が支持アーム９の先端から遠のくと、第１リール落下リンク２１が図３に示す矢印２４方向に引き寄せられることになる。第１リール落下リンク２１が上記矢印２４方向に引き寄せられれば、この第１リール落下リンク２１に回動自在に取り付けた保持片１９が図面反時計方向に回動する。そして、上記したブラケット４が図４に示すトップの位置に到達したとき、上記保持片１９が保持片１８側に完全に引き寄せられる。保持片１９が保持片１８側に引き寄せられれば、リール保持機構１７はリール１４を保持することができなくなり、リール１４を自動的に落下させる。
【００１７】
また、ブラケット４は、図４に示すトップの位置にあるとき、この図４からも明らかなように、床に固定した支柱１よりも十分に前に突出する構成にしている。したがって、上記トップの位置で、支持アーム９の先端が建物の窓の外に飛び出す関係にしておけば、その位置で緩降機１１が窓の外に飛び出すとともに、リール保持機構１７に保持されていたリール１４が窓の外に投げ出されることになる。
なお、この実施形態では、緩降機１１に巻き回したロープ１２の両端に装着具１３を設けているが、その一方の装着具１３は、図示のようにそれを支柱１側に掛け止めている。そして、図示していない他方の装着具は、リール１４に巻き付けている。したがって、リール１４が窓の外に投げ出されると、リール１４が落下するとともに、上記他方の装着具が地上に到達することになる。
【００１８】
そして、避難する人は階上に残った装着具１３を身に巻き付けて地上に降りるが、このときには、地上に降ろした他方の装着具１３が階上まであがってくる。つまり、井戸のつるべのように、一方の装着具１３が降りているときには、他方の装着具が上昇するといった動作を繰り返すことになる。
なお、この実施形態では、リール１４を落下させるのに、リール保持機構１７の保持片１８，１９を動作させているが、リール保持機構にはリール１４を置くだけにして、第１，２リール落下リンク２１，２２を利用して、リール１４を押し出すようにしてもよい。
【図面の簡単な説明】
【００１９】
【図１】リールを落下させる機構を省略した収納状態の側面図である。
【図２】第１，２ガイドリンクが水平になった状態の側面図である。
【図３】ブラケットがトップ位置に到達する直前の側面図である。
【図４】ブラケットがトップの位置に達した状態の側面図である。
【符号の説明】
【００２０】
１      支柱
３      回動部材
４      ブラケット
５      ガイド部材としての第１ガイドリンク
６      ガイド部材としての第２ガイドリンク
９      支持アーム
１０      緩降機つり下げ部材であるリング
１１      緩降機
【図１】
2006000168.tif 000003
【図２】
2006000168.tif 000004
【図３】
2006000168.tif 000005
【図４】
2006000168.tif 000006